(57)【要約】【課題】部品点数が少なく簡便な操作機構で、観察操作時にヘッドチップのイメージファイバーから導かれた像を結像用レンズで確実に結像させるとともに結像用レンズを確実に保持して安定した映像を取得する歯科用内視鏡を提供すること。【解決手段】歯科用内視鏡１００は、ハンドピース本体１６０に撮像素子１４０が固定されるとともに、ハンドピース長手方向に摺動するレンズホルダー１５０を少なくとも内蔵している。レンズホルダー１５０には、ヘッドチップ１２０に設けたイメージファイバー１１０のフェルール１１１を嵌合するとともに結像用レンズ１３０が保持固定されている。【選択図】図１
2019005446.tif 000002
【特許請求の範囲】
【請求項１】
口腔内の像を伝送するイメージファイバーと、該イメージファイバーを組み込んだヘッドチップと、前記イメージファイバーから導かれた像を結像する結像用レンズと、該結像用レンズを通して導かれた像を撮像する撮像素子と、前記結像用レンズを保持固定するレンズホルダーと、前記レンズホルダーをハンドピース長手方向に摺動させるハンドピース本体と、前記ヘッドチップをハンドピース本体に対して着脱自在に連結する連結リングとを少なくとも備えた歯科用内視鏡であって、
前記撮像素子が、前記結像用レンズの後方域であって前記ハンドピース本体の後方部位に固定され、
前記レンズホルダーが、前記イメージファイバーの後端部を保持するフェルールを介して着脱自在に嵌合するフェルール収容凹部を前記結像用レンズの前方域に有していることを特徴とする歯科用内視鏡。
【請求項２】
前記ハンドピース本体が、前記レンズホルダーをヘッドチップに向けて付勢するコイルスプリングを内蔵していることを特徴とする請求項１記載の歯科用内視鏡。
【請求項３】
前記連結リングが、前記ヘッドチップに対して回転自在に係合する前方係合部と前記ハンドピース本体に対して同心状に螺合する螺子部とを備えていることを特徴とする請求項１または請求項２記載の歯科用内視鏡。
【請求項４】
前記ヘッドチップが、前記ハンドピース本体に設けた差し込み穴に挿入される回り止めピンを備えていることを特徴とする請求項１乃至請求項３のいずれか１つに記載の歯科用内視鏡。
【請求項５】
前記レンズホルダーが、前記イメージファイバーの後端部と結像用レンズとを所定間隔に位置決めするフェルール当て止め部を備えていることを特徴とする請求項１乃至請求項４のいずれか１つに記載の歯科用内視鏡。
【請求項６】
前記レンズホルダーが、前記ヘッドチップをハンドピース本体から離脱する際に前記ハンドピース本体から抜け止めする抜け止め用段差部を備えていることを特徴とする請求項１乃至請求項５のいずれか１つに記載の歯科用内視鏡。
【請求項７】
前記結像用レンズが、凸レンズであることを特徴とする請求項１乃至請求項６のいずれか１つに記載の歯科用内視鏡。
【請求項８】
前記結像用レンズと撮像素子との間隔が、前記イメージファイバーの後端部と結像用レンズとの所定間隔よりも長く設定されていることを特徴とする請求項１乃至請求項７のいずれか１つに記載の歯科用内視鏡。
【発明の詳細な説明】
【技術分野】
【０００１】
本発明は、歯科治療において、口腔内の観察、根管内の観察、更には、歯周ポケット内の観察などが可能な歯科用内視鏡に関する。
【背景技術】
【０００２】
従来、歯科用内視鏡として、歯科治療の際に根管内で起きた歯根破折、根管拡大の前後における根管壁の拡大観察、更には、歯周ポケット内の、歯根に付着したプラーク、歯石、歯根破折等を映像によって拡大観察するために、図５乃至図６に示すように、口腔内の像を伝送するイメージファイバー３１０を組み込んだヘッドチップ３２０と、イメージファイバー３１０から導かれた像を結像する結像用レンズ３３０とこの結像用レンズ３３０を通して導かれた像を撮像する撮像素子３４０とを組み込んだハンドピース本体３６０とを備えたものがある。
そして、このような歯科用内視鏡３００は、操作スイッチ３６５を手動で矢印方向に操作することにより、結像用レンズ３３０のみをイメージファイバー３１０と撮像素子３４０との間で進退自在に移動させ、イメージファイバー３１０から結像用レンズ３３０を介して撮像された映像を取得している。（例えば、特許文献１）。
【先行技術文献】
【特許文献】
【０００３】
【特許文献１】特開２０１３−３８３号公報
【発明の概要】
【発明が解決しようとする課題】
【０００４】
しかしながら、従来の歯科用内視鏡３００は、図６に示すように、結像用レンズ３３０のみを所定移動範囲Ｃ内でスライド移動させて映像を取得する際に、映像の取得が、結像用レンズ３３０を手動で操作する操作者の経験と勘に大きく依存しているため、常に同じ状態の映像を取得することが困難であり、また、口腔内の観察、根管内などの観察中に、結像用レンズ３３０の焦点がズレたりして、観察操作を中断しなければならないという問題があった。
これを改善するために、撮像素子３４０から得られた画像信号を処理し、結像用レンズ３３０の位置を自動調整することも行われているが、その制御機構が複雑となり、装置コストも高くなるという問題もあった。
【０００５】
本発明は、このような状況に鑑みてなされたものであり、部品点数が少なく簡便な操作機構で、観察操作時にヘッドチップのイメージファイバーから導かれた像を結像用レンズで確実に結像させるとともに結像用レンズを確実に保持して安定した映像を取得する歯科用内視鏡を提供することをその目的としている。
【０００６】
上記課題を解決するために、請求項１に係る発明は、口腔内の像を伝送するイメージファイバーと、該イメージファイバーを組み込んだヘッドチップと、前記イメージファイバーから導かれた像を結像する結像用レンズと、該結像用レンズを通して導かれた像を撮像する撮像素子と、前記結像用レンズを保持固定するレンズホルダーと、前記レンズホルダーをハンドピース長手方向に摺動させるハンドピース本体と、前記ヘッドチップをハンドピース本体に対して着脱自在に連結する連結リングとを少なくとも備えた歯科用内視鏡であって、前記撮像素子が、前記結像用レンズの後方域であって前記ハンドピース本体の後方部位に固定され、前記レンズホルダーが、前記イメージファイバーの後端部を保持するフェルールを介して着脱自在に嵌合するフェルール収容凹部を前記結像用レンズの前方域に有していることを特徴とするものである。
ここで、本明細書では、ヘッドチップ側を前方、ハンドピース本体側を後方として記載している。
【０００７】
請求項２に係る発明は、請求項１に記載された歯科用内視鏡の構成に加えて、前記ハンドピース本体が、前記レンズホルダーをヘッドチップに向けて付勢するコイルスプリングを内蔵していることを特徴とするものである。
【０００８】
請求項３に係る発明は、請求項１または請求項２に記載された歯科用内視鏡の構成に加えて、前記連結リングが、前記ヘッドチップに対して回転自在に係合する前方係合部と前記ハンドピース本体に対して同心状に螺合する螺子部とを備えていることを特徴とするものである。
【０００９】
請求項４に係る発明は、請求項１乃至請求項３のいずれか１つに記載された歯科用内視鏡の構成に加えて、前記ヘッドチップが、前記ハンドピース本体に設けた差し込み穴に挿入される回り止めピンを備えていることを特徴とするものである。
【００１０】
請求項５に係る発明は、請求項１乃至請求項４のいずれか１つに記載された歯科用内視鏡の構成に加えて、前記レンズホルダーが、前記イメージファイバーの後端部と結像用レンズとを所定間隔に位置決めするフェルール当て止め部を備えていることを特徴とするものである。
【００１１】
請求項６に係る発明は、請求項１乃至請求項５のいずれか１つに記載された歯科用内視鏡の構成に加えて、前記レンズホルダーが、前記ヘッドチップをハンドピース本体から離脱する際に前記ハンドピース本体から抜け止めする抜け止め用段差部を備えていることを特徴とするものである。
【００１２】
請求項７に係る発明は、請求項１乃至請求項６のいずれか１つに記載された歯科用内視鏡の構成に加えて、前記結像用レンズが、凸レンズであることを特徴とするものである。
【００１３】
請求項８に係る発明は、請求項１乃至請求項７のいずれか１つに記載された歯科用内視鏡の構成に加えて、前記結像用レンズと撮像素子との間隔が、前記イメージファイバーの後端部と結像用レンズとの所定間隔よりも長く設定されていることを特徴とするものである。
【発明の効果】
【００１４】
本発明の歯科用内視鏡は、口腔内の像を伝送するイメージファイバーと、このイメージファイバーを組み込んだヘッドチップと、イメージファイバーから導かれた像を結像する結像用レンズと、この結像用レンズを通して導かれた像を撮像する撮像素子と、結像用レンズを保持固定するレンズホルダーと、このレンズホルダーをハンドピース長手方向に摺動させるハンドピース本体と、ヘッドチップをハンドピース本体に対して着脱自在に連結する連結リングとを少なくとも備えていることにより、口腔内の映像を取得することができるばかりでなく、以下のような特有の効果を奏することができる。
【００１５】
請求項１に係る発明の歯科用内視鏡によれば、撮像素子が、結像用レンズの後方域であってハンドピース本体の後方部位に固定され、レンズホルダーが、イメージファイバーの後端部を保持するフェルールを介して着脱自在に嵌合するフェルール収容凹部を結像用レンズの前方域に有していることにより、イメージファイバーの後端部と結像用レンズとが常に所定間隔で位置決めされて一体に可動するため、部品点数が少なく簡便な操作機構で、観察操作時にヘッドチップのイメージファイバーから導かれた像を結像用レンズで確実に結像させるとともに結像用レンズを確実に保持して安定した映像を取得することができる。
【００１６】
請求項２に係る発明は、請求項１に記載された歯科用内視鏡が奏する効果に加えて、ハンドピース本体が、レンズホルダーをヘッドチップに向けて付勢するコイルスプリングを内蔵していることにより、イメージファイバーの後端部を保持するフェルールが、観察操作時の如何なる操作や動作であっても、レンズホルダー内のフェルール収容凹部に弾力的かつ確実に位置決めされるため、観察操作時にヘッドチップのイメージファイバーから導かれた像を結像用レンズでより確実に結像させることができる。
【００１７】
請求項３に係る発明は、請求項１または請求項２に記載された歯科用内視鏡が奏する効果に加えて、連結リングが、ヘッドチップに対して回転自在に係合する前方係合部とハンドピース本体に対して同心状に螺合する螺子部とを備えていることにより、観察操作時にイメージファイバーの後端部と結像用レンズとを所定間隔で位置決めしたまま、連結リングをハンドピース本体に対して進退自在に螺合せて可動する結像用レンズとハンドピース本体に固定配置された撮像素子との間隔が調整可能となるため、画像信号の信号処理回路を必要とすることなく、撮像素子における撮像状態の大小を簡便に微調整することができる。
【００１８】
請求項４に係る発明は、請求項１乃至請求項３のいずれか１つに記載された歯科用内視鏡が奏する効果に加えて、ヘッドチップが、ハンドピース本体に設けた差し込み穴に挿入される回り止めピンを備えていることにより、連結リングの螺合操作でヘッドチップをハンドピース本体に装着する際に、ヘッドチップがハンドピース本体に対して回り止めされた状態となるため、ヘッドチップをハンドピース本体に対して進退自在に装着することができる。
【００１９】
請求項５に係る発明は、請求項１乃至請求項４のいずれか１つに記載された歯科用内視鏡が奏する効果に加えて、レンズホルダーが、イメージファイバーの後端部と結像用レンズとを所定間隔に位置決めするフェルール当て止め部を備えていることにより、イメージファイバーの後端部を保持するフェルールが、レンズホルダーのフェルール収容凹部内に嵌合した後にフェルール当て止め部に確実に位置決めされるため、イメージファイバーの後端部と結像用レンズとが常に所定間隔で保持され、観察操作時にヘッドチップのイメージファイバーから導かれた像を結像用レンズで確実に結像させることができる。
【００２０】
請求項６に係る発明は、請求項１乃至請求項５のいずれか１つに記載された歯科用内視鏡が奏する効果に加えて、レンズホルダーが、ヘッドチップをハンドピース本体から離脱する際にハンドピース本体から抜け止めする抜け止め用段差部を備えていることにより、連結リングの螺合操作でヘッドチップをハンドピース本体から離脱する際に、レンズホルダーがハンドピース本体から抜け落ちることがないため、イメージファイバー、フェルール、結像用レンズの不用意な損傷を防止することができる。
【００２１】
請求項７に係る発明は、請求項１乃至請求項６のいずれか１つに記載された歯科用内視鏡が奏する効果に加えて、結像用レンズが、凸レンズであることにより、連結リングをハンドピース本体に対して進退自在に螺合せて可動する結像用レンズとハンドピース本体に固定配置された撮像素子との間隔を長く設定する場合には、大きな結像となり、間隔を短く設定する場合には、小さな結像となるため、口腔内を観察する映像を簡便に大小調整することができる。
【００２２】
請求項８に係る発明は、請求項１乃至請求項７のいずれか１つに記載された歯科用内視鏡が奏する効果に加えて、結像用レンズと撮像素子との間隔が、イメージファイバーの後端部と結像用レンズとの所定間隔よりも長く設定されていることにより、連結リングの僅かな螺合操作で結像用レンズと撮像素子との間隔に応じてイメージファイバーの像が物理的に拡大されるため、安定した高倍率の映像で口腔内を観察することができる。
【図面の簡単な説明】
【００２３】
【図１】本発明の実施例である歯科用内視鏡のヘッドチップとハンドピース本体とを分解した断面図。
【図２】図１に示すヘッドチップのイメージファイバーをハンドピース本体のレンズホルダーに当接させた状態の断面図。
【図３】図２に示すレンズホルダーをハンドピース本体に押し込んだ状態の断面図。
【図４】本実施例における結像用レンズと撮像素子との配置関係を説明する概要図。
【図５】従来の歯科用内視鏡を示す斜視図。
【図６】従来の歯科用内視鏡における結像用レンズと撮像素子との配置関係を説明する概要図。
【発明を実施するための形態】
【００２４】
本発明の歯科用内視鏡は、口腔内の像を伝送するイメージファイバーと、このイメージファイバーを組み込んだヘッドチップと、イメージファイバーから導かれた像を結像する結像用レンズと、この結像用レンズを通して導かれた像を撮像する撮像素子と、結像用レンズを保持固定するレンズホルダーと、撮像素子を組み込んでレンズホルダーをハンドピース長手方向に摺動させるハンドピース本体と、ヘッドチップをハンドピース本体に対して着脱自在に連結する連結リングとを少なくとも備え、撮像素子が、結像用レンズの後方域であってハンドピース本体の後方部位に固定され、レンズホルダーが、イメージファイバーの後端部を保持するフェルールを介して着脱自在に嵌合するフェルール収容凹部を結像用レンズの前方域に有し、部品点数が少なく簡便な操作機構で、観察操作時にヘッドチップのイメージファイバーから導かれた像を結像用レンズで確実に結像させるとともに結像用レンズを確実に保持して安定した映像を取得するものであれば、その具体的な実施態様は、如何なるものであっても構わない。
なお、本明細書では、ヘッドチップ側を前方、ハンドピース本体側を後方として記載している。
【００２５】
例えば、本発明の歯科用内視鏡は、歯科治療の際に口腔内の観察、根管内の観察を行うものであって、ハンドピース内に、結像用レンズやＣＣＤ又はＣ−ＭＯＳからなる撮像素子の他に、この撮像素子によって撮像された像が導かれるメモリや制御基板、ヘッドチップの先端に光を導くためのＬＥＤからなる光源などが設けられる。
そして、撮像素子によって撮像された像が、制御基板に導かれ、この制御基板に備えられてメモリに一旦記録され、ＵＳＢケーブル等の通信ケーブルを通して画像信号処理装置に伝送され、この画像信号処理装置により画像処理され、ディスプレイに動画或いは静止画として表示されるようになっている。
【００２６】
他方、ヘッドチップ内には、光源からの光を受け入れてヘッドチップの先端に導くためのライトガイドが設けられ、このライトガイドから放射される光によって照明された箇所の像が、ヘッドチップ内に設けられたイメージガイドを通してハンドピース内の結像用レンズに導かれるようになっている。
【００２７】
そして、ヘッドチップの先端部には、歯周ポケット内に挿入可能なアタッチメントを着脱自在に取り付け、このアタッチメントによって歯周ポケットを広げ、アタッチメント先端部の歯周ポケット内の様子を見易くし、アタッチメント先端部における歯周ポケット内の様子を観察可能にしても良い。
【００２８】
また、上述したライトガイドとイメージガイドとは、細径のガイドチューブ内に収納され、ヘッドチップの先端部が根管等の細径空間内へ挿入されるように構成されているが、ガイドチューブの長さが比較的長く、先端部に力が加わると、容易に撓んでしまうので、それを避けるために、更には、ガイドチューブの外傷を防ぐために、ガイドチューブは、例えば、口腔の根管内に挿入されて根管壁を観察できる程度の長さを残して、保護チューブによって保護するように構成しても良い。
【００２９】
さらに、ガイドチューブ内に空洞のチューブからなるチャンネルを設け、このチャンネルを通して、例えば、治療用のレーザ光を通す光ファイバーを挿入したり、洗浄用の水を流したり、乾燥用のエアーを通したりして、観察ばかりではなく、治療をも行えるように構成しても良い。
【実施例１】
【００３０】
以下に、本発明の実施例である歯科用内視鏡１００について、図１に基づいて説明する。
すなわち、図１は、本発明の実施例である歯科用内視鏡１００のヘッドチップ１２０とハンドピース本体１６０とを分解した断面図であり、図２は、図１に示すヘッドチップ１２０のイメージファイバー１１０をハンドピース本体１６０のレンズホルダー１５０に当接させた状態の断面図であり、図３は、図２に示すレンズホルダー１５０をハンドピース本体１６０に押し込んだ状態の断面図であり、図４は、本実施例における結像用レンズ１３０と撮像素子との配置関係を示すものであって、（Ａ）は、間隔を長く設定した場合、（Ｂ）は、間隔を短く設定した場合をそれぞれ説明する概要図である。
【００３１】
まず、本発明の実施例である歯科用内視鏡１００は、図１に示すように、歯科治療の際に口腔内の観察、根管内の観察を行うために口腔内の像を取得するものであって、その基本的な構造は、口腔内の像を伝送するイメージファイバー１１０と、このイメージファイバー１１０を組み込んだヘッドチップ１２０と、イメージファイバー１１０から導かれた像を結像する結像用レンズ１３０と、この結像用レンズ１３０を通して導かれた像を撮像する撮像素子１４０と、結像用レンズ１３０を保持固定するレンズホルダー１５０と、撮像素子１４０とレンズホルダー１５０とを組み込んだハンドピース本体１６０と、ヘッドチップ１２０をハンドピース本体１６０に対して着脱自在に連結する連結リング１７０とを少なくとも備えている。
【００３２】
しがたって、ハンドピース本体１６０内でイメージファイバー１１０と結像用レンズ１３０と撮像素子１４０とは、ハンドピース長手方向に沿って一直線上に配置され、イメージファイバー１１０から導かれた像が撮像素子１４０で撮像される。
また、本実施例の歯科用内視鏡１００では、撮像素子１４０によって撮像された像が、制御基板１４１を介して、図示しないが、ＵＳＢケーブル等の通信ケーブルを通して画像信号処理装置に伝送され、この画像信号処理装置により画像処理され、ディスプレイに動画あるいは静止画として表示されるようになっている。
【００３３】
歯科用内視鏡１００は、口腔内の観察箇所へ光を放射して照明するライトガイド１８０、ヘッドチップ１２０内のライトガイド１８０へ光を導くための光源１８１、および、光源１８１に送電するための電源コード１８２を有している。
【００３４】
そして、ハンドピース本体１６０は、イメージファイバー１１０の後端部を保持するフェルール１１１を介して着脱自在に嵌合するフェルール収容凹部１５１を結像用レンズ１３０の前方域に形成するとともに、結像用レンズ１３０を保持固定した状態でホルダー摺動穴１６１に沿ってハンドピース長手方向に摺動するレンズホルダー１５０を内蔵している。
【００３５】
そして、このレンズホルダー１５０は、フェルール１１１に当接してイメージファイバー１１０の後端部と結像用レンズ１３０とを所定間隔ａに位置決めするフェルール当て止め部１５２を備えている。
これにより、図２に示すように、イメージファイバー１１０の後端部を保持するフェルール１１１は、いかなるフェルール長さ寸法を有していても、レンズホルダー１５０のフェルール収容凹部１５１内に嵌合した後にフェルール当て止め部１５２に確実に位置決めされて一体に配置される。
このため、フェルール１１１がいかなるフェルール長さ寸法を有していても、イメージファイバー１１０の後端部と結像用レンズ１３０とは、常に所定間隔ａで一体に保持され、観察操作時にヘッドチップ１２０のイメージファイバー１１０から導かれた像が、結像用レンズ１３０で確実に結像する。
【００３６】
また、レンズホルダー１５０は、図２に示すように、ヘッドチップ１２０をハンドピース本体１６０から離脱する際にハンドピース本体１６０のホルダー摺動穴１６１から抜け止めする抜け止め用段差部１５３を備え、さらに、このレンズホルダー１５０をヘッドチップ１２０に向けて付勢するコイルスプリング１９０が、ハンドピース本体１６０のホルダー摺動穴１６１内に内蔵されている。
これにより、連結リング１７０の螺合操作でヘッドチップ１２０をハンドピース本体１６０から離脱する際に、レンズホルダー１５０は、コイルスプリング１９０でヘッドチップ１２０に向けて付勢されていても、ハンドピース本体１６０のホルダー摺動穴１６１から抜け落ちることがなく、イメージファイバー１１０、フェルール１１１、結像用レンズ１３０の不用意な損傷を防止する。
なお、図１に示す符号１６２は、コイルスプリング１９０の後端部をハンドピース本体１６０内に固定保持するスプリング受けである。
【００３７】
そして、図２に示すように、連結リング１７０のリング前方端縁部位には、ヘッドチップ１２０の後方開口端縁部位に固着したファイバー支持体１２１に対して回転自在に凹凸係合する前方係合部１７１を備えるとともに、連結リング１７０のリング後方内周面部位には、ハンドピース本体１６０の前方外周面部位に形成した本体螺子部１６３と同心状に螺合するリング螺子部１７２を備えている。
他方、ヘッドチップ１２０には、ハンドピース本体１６０に設けた差し込み穴１６４に挿入される回り止めピン１２２を備えている。
これにより、連結リング１７０の螺合操作でヘッドチップ１２０をハンドピース本体１６０に装着する際には、ヘッドチップ１２０の回り止めピン１２２がハンドピース本体１６０の差し込み穴１６４に対して回り止めされた状態となる。
【００３８】
したがって、観察操作時にイメージファイバー１１０の後端部と結像用レンズ１３０とを所定間隔で位置決めしたまま、連結リング１７０を手動で回動操作することにより、連結リング１７０が、図２乃至図３のように、ハンドピース本体１６０に対して進退自在に螺合し、レンズホルダー１５０の結像用レンズ１３０とハンドピース本体１６０の撮像素子１４０との間隔ｂ１、ｂ２が設定自在となる。
ここで、上述した撮像素子１４０は、結像用レンズ１３０の後方域であってハンドピース本体１６０の後方部位に固定されていることは言うまでもない。
【００３９】
さらに、結像用レンズ１３０と撮像素子１４０との間隔ｂ１、ｂ２は、図２乃至図３に示すように、イメージファイバー１１０の後端部と結像用レンズ１３０との所定間隔ａよりも長く設定されている。
これにより、連結リング１７０の僅かな螺合操作で結像用レンズ１３０と撮像素子１４０との間隔ｂ１、ｂ２に応じてイメージファイバー１１０の像が物理的に拡大され、安定した高倍率の映像で口腔内を観察することが可能となっている。
【００４０】
そして、結像用レンズ１３０は、凸レンズを採用し、ハンドピース本体１６０内をハンドピース長手方向に摺動するレンズホルダー１５０の中央定位置に固定されている。
この凸レンズからなる結像用レンズ１３０により、連結リング１７０をハンドピース本体１６０に対して進退自在に螺合させて可動する結像用レンズ１３０とハンドピース本体１６０に固定配置された撮像素子１４０との間隔ｂ１を長く設定する場合には、図４（Ａ）に示すような大きな結像となり、間隔ｂ２を短く設定する場合には、図４（Ｂ）に示すような小さな結像となり、口腔内を観察する映像を簡便に大小調整することができる。
【００４１】
このようにして得られた本発明の実施例である歯科用内視鏡１００は、撮像素子１４０が、結像用レンズ１３０の後方域であってハンドピース本体１６０の後方部位に固定され、レンズホルダー１５０が、イメージファイバー１１０の後端部を保持するフェルール１１１を介して着脱自在に嵌合するフェルール収容凹部１５１を結像用レンズ１３０の前方域に有していることにより、部品点数が少なく簡便な操作機構で、観察操作時にヘッドチップ１２０のイメージファイバー１１０から導かれた像を結像用レンズ１３０で確実に結像させるとともに結像用レンズ１３０を確実に保持して安定した映像を取得することができる。
【００４２】
そして、ハンドピース本体１６０が、レンズホルダー１５０とともにこのレンズホルダー１５０をヘッドチップ１２０に向けて付勢するコイルスプリング１９０を内蔵していることにより、イメージファイバー１１０の後端部を保持するフェルール１１１が、観察操作時の如何なる操作や動作であっても、レンズホルダー１５０内のフェルール収容凹部１５１内に弾力的かつ確実に位置決めされるため、観察操作時にヘッドチップ１２０のイメージファイバー１１０から導かれた像を結像用レンズ１３０でより確実に結像させることができる。
【００４３】
そして、連結リング１７０が、ヘッドチップ１２０に対して回転自在に凹凸係合する前方係合部１７１とハンドピース本体１６０に対して同心状に螺合するリング螺子部１７２とを備えていることにより、画像信号の信号処理回路を必要とすることなく、撮像素子１４０から得られる画像の大小を簡便に微調整することができるなど、その効果は、甚大である。
【符号の説明】
【００４４】
１００…歯科用内視鏡、１１０…イメージファイバー、１１１…フェルール、１２０…ヘッドチップ、１２１…ファイバー支持体、１２２…回り止めピン、１３０…結像用レンズ、１４０…撮像素子、１４１…制御基板、１５０…レンズホルダー、１５１…フェルール収容凹部、１５２…フェルール当て止め部、１５３…抜け止め用段差部、１６０…ハンドピース本体、１６１…ホルダー摺動穴、１６２…スプリング受け、１６３…本体螺子部、１６４…差し込み穴、１７０…連結リング、１７１…前方係合部、１７２…リング螺子部、１８０…ライトガイド、１８１…光源（ＬＥＤ）、１８２…電源コード、１９０…コイルスプリング、３００…歯科用内視鏡、３１０…イメージファイバー、３２０…ヘッドチップ、３３０…結像用レンズ、３４０…撮像素子、３６０…ハンドピース本体、３６５…操作スイッチ、ａ…所定間隔、ｂ１…長く設定した間隔、ｂ２…短く設定した間隔、Ｃ…所定移動範囲。
【図１】
2019005446.tif 000003
【図２】
2019005446.tif 000004
【図３】
2019005446.tif 000005
【図４】
2019005446.tif 000006
【図５】
2019005446.tif 000007
【図６】
2019005446.tif 000008